(57)【特許請求の範囲】
【請求項１】
架橋ポリエチレン管本体の外周に、オレフィン系熱可塑性エラストマーからなる剥離可能な緩衝層が、内面周方向に等間隔に先端が尖った突条が長手方向に直線状に管本体外周面に当接して積層されて、コイル状に巻回された給水・給湯管を、ヘッダの枝管口に継手を介して管本体を挿通するにあたり、
一方の管端の緩衝層をめくることにより剥離して、所定長さ露出した管本体を継手に挿通してヘッダーの枝管口に接続し、
所要長さになるまでコイル状に巻回された給水・給湯管を解いて切断して、給水口に接続することを特徴とする給水・給湯管の配管方法。
【請求項２】
前記緩衝層のショアA硬度が７０以下であることを特徴とする請求項１記載の給水・給湯管の配管方法。
【発明の詳細な説明】
【０００１】
【発明の属する技術分野】
本発明は、給水・給湯管の配管方法に関する。
【０００２】
【従来の技術】
従来、建物内の各所に給湯または給水を行う場合、幹管を敷設し、この幹管の途中に、上記各所に対する枝管を分岐接続した配管を用いている。しかしながら、かかる配管構造では、多数の枝管において、同時に通水を行うと、幹管遠端側の枝管に至る程、吐出量が少なくなって、均等に給湯または給水が困難となり、幹管長さが長く途中での枝管接続本数が多い、ホテル、ビルあるいは高層集団住宅の場合、問題がある。
【０００３】
また、上記の配管は、元来、鋼管を段階的に分岐していたので、接続部が増え、多大の工数が必要となるとともに、管路の一部に欠陥が発生した場合、その下流が全て使用できなくなるといった欠点があった。
また、合成樹脂性の裸管で施工すると、配管時に管表面に傷が発生する。
【０００４】
そこで、かかる不合理を解消するために鞘管ヘッダ工法と呼ばれる工法が開発されている。この方法は、ヘッダから、給水管等よりやや大きい径の鞘管を、建物内のコンクリート製の床面や壁面内を通じて、台所、洗面所等の所定の場所まで配管しておき、その鞘管内に、給水管等が挿通される（特公平７─４３０５８号公報等）。
【０００５】
このような鞘管ヘッダ工法は、マンションや鉄筋コンクリート住宅のような、耐用年数が長い建物では、管の交換が容易にできるので好ましい。
【０００６】
【発明が解決しようとする課題】
しかし、耐用年数の短い一戸建ての住宅等においては、管を交換することはほとんどなく、鞘管を用いるメリットは小さい。
むしろ、鞘管ヘッダ工法によって給水管等を配管するには、施工時に、可撓性を有する長い給水管等を運びながら作業するので、作業性が悪いという問題があった。
【０００７】
さらに、鞘管を用いるため、流水路の開閉により、給水栓または給湯栓の近傍部分において、水圧が急激に変動することがある。給水管等内にて水圧が急激に変動すると、その反動によって、給水管等内を通流する水等が給水管等の内周面に衝突するウォーターハンマー現象が生じる。ウォーターハンマー現象が生じると、給水管等内が大きく振動し、鞘管に衝突して大きな衝撃音が発生するという問題があった。
【０００８】
本発明は上記の課題を解決し、作業性に優れ、鞘管を使用することなしに、ウォーターハンマー現象による振動、衝撃音を抑制することができる給水管等の配管方法を提供することを目的とする。
【０００９】
【課題を解決するための手段】
本発明１の給水・給湯管の配管方法は、架橋ポリエチレン管本体の外周に、オレフィン系熱可塑性エラストマーからなる剥離可能な緩衝層が、内面周方向に等間隔に先端が尖った突条が長手方向に直線状に管本体外周面に当接して積層されて、コイル状に巻回された給水・給湯管を、ヘッダの枝管口に継手を介して管本体を挿通するにあたり、一方の管端の緩衝層をめくることにより剥離して、所定長さ露出した管本体を継手に挿通してヘッダーの枝管口に接続し、所要長さになるまでコイル状に巻回された給水・給湯管を解いて切断して、給水口に接続するものである。
【００１０】
本発明２の給水・給湯管の配管方法は、本発明１の給水・給湯管の配管方法において、前記緩衝層のショアA硬度が７０以下であるものである。
【００１１】
（作用）
本発明１の給水・給湯管の配管方法は、架橋ポリエチレン管本体の外周に、オレフィン系熱可塑性エラストマーからなる剥離可能な緩衝層が、内面周方向に等間隔に先端が尖った突条が長手方向に直線状に管本体外周面に当接して積層されて、コイル状に巻回された給水・給湯管を、ヘッダの枝管口に継手を介して管本体を挿通するにあたり、一方の管端の緩衝層をめくることにより剥離して、所定長さ露出した管本体を継手に挿通してヘッダーの枝管口に接続し、所要長さになるまでコイル状に巻回された給水・給湯管を解いて切断して、給水口に接続されるものであるため、架橋ポリエチレン管本体に傷がつきにくく、また、鞘管を使用しないので、ウォーターハンマー現象が発生しにくい。
【００１２】
さらに、給水・給湯管がコイル状に巻回されているので、施工現場までの運び込みが容易であり、施工に必要な長さの分だけ解いて施工することができる。
さらに、一方の管端の緩衝層を剥離して継手に挿通しているものであるから、継手には、管本体のみが接続されるので、継手の管本体との接合部における急激な絞り込み（管径の減小）がないので、配管内での段差が少なくてすみ、ウォーターハンマー現象がさらに発生しにくい。
【００１３】
本発明２の給水・給湯管の配管方法は、本発明１の給水・給湯管の配管方法において、前記緩衝層のショアA硬度が７０以下であるから、管本体の外周面から容易に剥離させることが可能となる。
【００１４】
【発明の実施の形態】
以下、本発明の実施の形態を、図面に基づいて詳細に説明する。
図１は、本発明の給水管等の配管方法の一例を説明するための一部切欠き断面図である。
図１において１はヘッダ、２は枝管、３は継手、１０は給水管、１１は管本体、１２は緩衝層である。
【００１５】
図１に示すように、本発明の給水管等の配管方法に使用する給水管１０は、管本体１１の外周に、剥離可能な緩衝層１２が積層されているものである。
一方、ヘッダ１に設けられた枝管２には、内壁に雌螺子が設けられている。継手３は、一方には雄螺子が設けられ、他方には、管本体１１の外径より僅かに小さい締め付けリング４、及び管本体１１に嵌合する嵌合部５が設けられ、嵌合部５にはＯリング６が嵌め込まれて、管本体１１を嵌着できるようになっている。
【００１６】
給水管１０を配管方法する場合、まず、上記ヘッダ１に設けられた枝管２に、継手３の雄螺子を螺合する。
一方、図２に示すように、プーリー７にコイル状に巻回された給水管１０を、継手３の締め付けリング４と、Ｏリング６が嵌め込まれた嵌合部５の間に嵌合する。この際、給水管１０の一方の管端の緩衝層１２を剥離する。給水管１０は、所要長さになるまで解いたのち、切断する。
【００１７】
給水管に代えて給湯管を配管する場合も同様であるので、説明を省略する。
この際、緩衝層１２を、例えば、給水管を青、給湯管を橙に着色しておくと、給水管と給湯管の誤配管を防ぐことができる。
【００１８】
図３は、本発明の給水管等の配管方法に使用される給水管の断面図である。
図３に示すように、給水管１０は、円筒状の管本体１１に、管本体１１を覆うように積層された緩衝層１２が積層されてなるものである。
緩衝層１２には、内側に複数の突条１３が周方向に等しい間隔をあけて、長手方向に沿った直線状に設けられている。
各突条１３は、緩衝層１２と一体に形成されている。各突条１３は、先端側になるにつれて、順次、幅方向寸法が小さくなった先鋭的な断面形状になっており、先端は尖った状態になっていて、管本体１１に当接されるようになされている。
このようにすることによって、管端部をめくる際、緩衝層１２に指を掛けやすいので、簡単にめくることができる。
【００１９】
管本体１１は、例えば、架橋ポリエチレンによって構成されている。緩衝層１２及び突条１３は、硬度（ショアＡ）７０以下の熱可塑性樹脂組成物、例えば、ポリエチレン−ポリプロピレン−エチレンプロピレンゴム（ＥＰＤＭ）等のオレフィン系熱可塑性エラストマーによって構成されている。
【００２０】
給水管に代えて給湯管を配管する場合も同様であるので、説明を省略するが、給湯管に使用する場合、緩衝層１２は、保温材としての効果も有する。
【００２１】
【実施例】
本発明を実施例をもってさらに詳細に説明する。
図３に示した、呼び径１３ｍｍ、外径が１７ｍｍの架橋ポリエチレン管（積水化学工業社製、商品名「エスロペックス」）を管本体１１とし、オレフィン系熱可塑性エラストマー（三井化学社製、商品名「ミラストマ７０３０」）からなる突起１３付き緩衝層１２〔外径２１ｍｍ、厚み０．７ｍｍ、突起１３の高さ１．３ｍｍ、硬度（ショアＡ）が７０〕の給水管１０を製造した。
【００２２】
製造された給水管１０をプーリー７（図２）に巻き取り、コイル状に巻回した。一方で、図１に示したヘッダ１の枝管２に、継手３を螺合し、上記巻回された給水管１０を解きながら、給水管１０の管端部の突条１３付き緩衝層１２をめくって、管本体１１を、継手３の締め付けリング４と、Ｏリング６が嵌め込まれた嵌合部５の間に嵌合した。
【００２３】
緩衝層１２は容易にめくることができ、管本体１１を、簡単にヘッダ１に取り付けることができた。その後、プーリー７を回転させながら、必要長さの給水管１０を切断し、給水口に接続した。
【００２４】
【発明の効果】
本発明１の給水・給湯管の配管方法は、上述の如き構成となされているので、作業性に優れ、鞘管を使用することなしに、ウォーターハンマー現象による振動、衝撃音を抑制することができる。
本発明２の給水・給湯管の配管方法は、本発明１の給水・給湯管の配管方法において、前記緩衝層のショアA硬度が７０以下であるから、管本体の外周面から容易に剥離させることが可能となる。
【図面の簡単な説明】
【００２５】
【図１】  本発明の給水・給湯管の配管方法の一例を説明するための一部切欠き断面図である。
【図２】  本発明の給水・給湯管の配管方法の一例を説明するための側面図である。
【図３】  本発明の給水・給湯管の配管方法に使用される給水管・給湯管の断面図である。
【００２６】
【符号の説明】
１    ヘッダ
３    継手
１０  給水・給湯）管
１１  管本体
１２  緩衝層
１３ 突条
【図１】
0004195146.tif 000002
【図２】
0004195146.tif 000003
【図３】
0004195146.tif 000004